(57)【特許請求の範囲】
【請求項１】
携帯電話機（１０）によるハンズフリー通話を実現するためのハンズフリー通話プロトコルを当該携帯電話機（１０）との間で接続するハンズフリー通話プロトコル接続手段（３）と、
携帯電話機（１０）に記憶されている発信履歴データ、着信履歴データ、不在着信履歴データ及び電話帳データのうち少なくともいずれかを当該携帯電話機（１０）から受信するためのデータ転送プロトコルを当該携帯電話機（１０）との間で接続するデータ転送プロトコル接続手段（３）と、
前記ハンズフリー通話プロトコル接続手段（３）がハンズフリー通話プロトコルの接続状態にあるときに当該携帯電話機（１０）の操作により発信したと判定した場合には、前記データ転送プロトコル接続手段（３）によるデータ転送プロトコルにて、携帯電話機（１０）からの発信履歴データを受信させる制御手段（２）とを備えたことを特徴とする車載ハンズフリー装置。
【請求項２】
携帯電話機（１０）によるハンズフリー通話を実現するためのハンズフリー通話プロトコルを当該携帯電話機（１０）との間で接続するハンズフリー通話プロトコル接続手段（３）と、
携帯電話機（１０）に記憶されている発信履歴データ、着信履歴データ、不在着信履歴データ及び電話帳データのうち少なくともいずれかを当該携帯電話機（１０）から受信するためのデータ転送プロトコルを当該携帯電話機（１０）との間で接続するデータ転送プロトコル接続手段（３）と、
前記ハンズフリー通話プロトコル接続手段（３）がハンズフリー通話プロトコルの接続状態にあるときに自装置から発信したと判定した場合には、前記データ転送プロトコル接続手段（３）によるデータ転送プロトコルにて、携帯電話機（１０）からの発信履歴データを受信させる制御手段（２）とを備えたことを特徴とする車載ハンズフリー装置。
【請求項３】
携帯電話機（１０）によるハンズフリー通話を実現するためのハンズフリー通話プロトコルを当該携帯電話機（１０）との間で接続するハンズフリー通話プロトコル接続手段（３）と、
携帯電話機（１０）に記憶されている発信履歴データ、着信履歴データ、不在着信履歴データ及び電話帳データのうち少なくともいずれかを当該携帯電話機（１０）から受信するためのデータ転送プロトコルを当該携帯電話機（１０）との間で接続するデータ転送プロトコル接続手段（３）と、
前記ハンズフリー通話プロトコル接続手段（３）がハンズフリー通話プロトコルの接続状態にあり且つ着信状態にあるときには、その着信状態が終了して、その着信状態とは異なる通信状態に移行したときに、前記データ転送プロトコル接続手段（３）によるデータ転送プロトコルにて、携帯電話機（１０）からの着信履歴データ、不在着信履歴のうち少なくともいずれかを受信させる制御手段（２）とを備えたことを特徴とする車載ハンズフリー装置。
【請求項４】
携帯電話機（１０）に記憶されている発信履歴データ、着信履歴データ、不在着信履歴データ及び電話帳データのうち少なくともいずれかを当該携帯電話機（１０）から受信するためのデータ転送プロトコルを当該携帯電話機（１０）との間で接続するデータ転送プロトコル接続手段（３）と、
前記データ転送プロトコル接続手段（３）によるデータ転送プロトコルにて定期的にデータ転送を行い、携帯電話機（１０）からの発信履歴データ、着信履歴データ、不在着信履歴データ及び電話帳データのうち少なくともいずれかを受信させる制御手段（２）とを備えたことを特徴とする車載ハンズフリー装置。
【請求項５】
携帯電話機（１０）に記憶されている発信履歴データ、着信履歴データ、不在着信履歴データ及び電話帳データのうち少なくともいずれかを当該携帯電話機（１０）から受信するためのデータ転送プロトコルを当該携帯電話機（１０）との間で接続するデータ転送プロトコル接続手段（３）と、
前記データ転送プロトコル接続手段（３）によるデータ転送プロトコルを発信履歴データの表示画面、着信履歴データの表示画面、不在着信履歴データの表示画面及び電話帳データの表示画面のうち少なくともいずれかに遷移したことを条件して接続させ、携帯電話機（１０）からの発信履歴データ、着信履歴データ、不在着信履歴データ及び電話帳データのうち少なくともいずれかを受信させる制御手段（２）とを備えたことを特徴とする車載ハンズフリー装置。
【発明の詳細な説明】
【技術分野】
【０００１】
本発明は、携帯電話機が近距離通信圏内にあるときに当該携帯電話機との間で通信回線を確立する車載ハンズフリー装置に関する。
【背景技術】
【０００２】
電話番号と登録名との対応を表す電話帳データを携帯電話機が車載ハンズフリー装置に自動転送する構成として、例えばユーザが携帯電話機を携帯して車両に乗り込み、携帯電話機が車載ハンズフリー装置の近距離通信圏内に進入すると、携帯電話機と車載ハンズフリー装置とが通信回線を確立し、携帯電話機が電話帳データを車載ハンズフリー装置に自動転送するものがある。このものによれば、ユーザは、車載ハンズフリー装置を操作することにより、携帯電話機の電話帳データのうちから所望の電話番号を選択して発信することができる（例えば特許文献１参照）。
【先行技術文献】
【特許文献】
【０００３】
【特許文献１】特開２００２−１９３０４６号公報
【発明の概要】
【発明が解決しようとする課題】
【０００４】
ところで、電話帳データの自動転送を規定するのみならず、発信履歴データや着信履歴データの自動転送を規定する携帯電話機が考えられている。例えば、Ｂｌｕｅｔｏｏｔｈ（登録商標）では、車載ハンズフリー装置で、着信を受けたり、発信を行うためのハンズフリープロファイル（ＨＦＰ）以外に、電話帳データ、上記発信履歴データや着信履歴データの車載ハンズフリー装置への送信に対応するため、新たなプロファイル（ＰＢＡＰ）が検討されている。
【０００５】
本発明は、ＨＦＰとＰＢＡＰとを同時に接続することに着目し、発信履歴データや着信履歴データ、電話帳データの少なくとも１つを、車載ハンズフリー装置に送信するタイミングを所定タイミングとすることにより、携帯電話機の着信履歴データ、発信履歴データをできる限り、リアルタイムに更新することを目的としている。
【課題を解決するための手段】
【０００６】
請求項１記載の発明では、制御手段は、前記ハンズフリー通話プロトコル接続手段がハンズフリー通話プロトコルの接続状態にあるときに当該携帯電話機の操作により発信したと判定した場合には、前記データ転送プロトコル接続手段によるデータ転送プロトコルにて、携帯電話機からの発信履歴データ、着信履歴データ、不在着信履歴データ及び電話帳データのうち少なくともいずれかを受信させる。
これにより、携帯電話機自体の操作で発信がなされたと判定した場合に、携帯電話機の少なくとも発信履歴データが、データ転送プロトコルにて送信されるので、携帯電話機の発信履歴データをほぼリアルタイムで更新することが可能となる。
【０００７】
また、請求項２記載の発明では、制御手段は、前記ハンズフリー通話プロトコル接続手段がハンズフリー通話プロトコルの接続状態にあるときに自装置から発信したと判定した場合には、前記データ転送プロトコル接続手段によるデータ転送プロトコルにて、携帯電話機からの発信履歴データを受信させる。
これにより、車載ハンズフリー装置自体の操作で発信がなされたと判定した場合に、携帯電話機の少なくとも発信履歴データが、データ転送プロトコルにて送信されるので、携帯電話機の発信履歴データをほぼリアルタイムで更新することが可能となる。
【０００８】
また、請求項３記載の発明では、制御手段は、前記ハンズフリー通話プロトコル接続手段がハンズフリー通話プロトコルの接続状態にあり且つ着信状態にあるときには、その着信状態が終了して、その着信状態とは異なる通信状態に移行したときに、前記データ転送プロトコル接続手段によるデータ転送プロトコルにて、携帯電話機からの着信履歴データ、不在着信履歴データのうち少なくともいずれかを受信させる。
これにより、着信状態と異なる通信状態に移行すると、データ転送プロトコルのデータ転送処理にて、当該着信における着信履歴データ、不在着信履歴データをも取得することができ、携帯電話機での最新の着信履歴を更新することが可能となる。また、その着信状態と異なる通信状態に移行すると、データ転送プロトコルのデータ転送処理を最初から再開することで、上記着信が応答した着信なのか、不在着信であったかが把握できる。
【０００９】
また、請求項４記載の発明では、制御手段は、前記データ転送プロトコル接続手段によるデータ転送プロトコルにて定期的にデータ転送を行い、携帯電話機からの発信履歴データ、着信履歴データ、不在着信履歴データ及び電話帳データのうち少なくともいずれかを受信させる。
これにより、携帯電話機での最新の着信履歴、不在着信、発信履歴を更新することが可能となる。
【００１０】
また、請求項５記載の発明では、制御手段は、前記データ転送プロトコル接続手段によるデータ転送プロトコルを発信履歴データの表示画面、着信履歴データの表示画面、不在着信履歴データの表示画面及び電話帳データの表示画面のうち少なくともいずれかに遷移したことを条件して接続させ、携帯電話機からの発信履歴データ、着信履歴データ、不在着信履歴データ及び電話帳データのうち少なくともいずれかを受信させる。
これにより、使用者が表示画面に、発信履歴データ、着信履歴データ、不在着信履歴データ、電話帳データを表示させる操作が行われると、携帯電話機での最新の着信履歴、不在着信、発信履歴、電話帳データの少なくとも１つを更新することが可能となる。つまり、不要なデータ転送処理を低減することが可能となる。
【図面の簡単な説明】
【００１１】
【図１】本発明の一実施形態を示す機能ブロック図
【図２】フローチャート（その１）
【図３】フローチャート（その２）
【図４】フローチャート（その３）
【図５】フローチャート（その４）
【図６】フローチャート（その５）
【図７】フローチャート（その６）
【図８】フローチャート（その７）
【図９】フローチャート（その８）
【図１０】フローチャート（その９）
【発明を実施するための形態】
【００１２】
以下、本発明を、Ｂｌｕｅｔｏｏｔｈ通信機能を有するハンズフリー機能付き車載ナビゲーション装置（以下、車載ナビゲーション装置と称する）に適用した一実施形態について、図面を参照して説明する。図１は、車載ナビゲーション装置にあって発明の要部を機能ブロック図として示している。車載ナビゲーション装置１は、制御部２（本発明でいう制御手段）、Ｂｌｕｅｔｏｏｔｈ通信部３（本発明でいうハンズフリー通話プロトコル接続手段、データ転送プロトコル接続手段）、操作部４、表示部５、作業メモリ６、記憶メモリ７、マイクロホン８及びスピーカ９を備えて構成されている。
【００１３】
制御部２は、車載ナビゲーション装置１の通信動作やデータ管理動作などの動作全般を制御する。Ｂｌｕｅｔｏｏｔｈ通信部３は、無線通信手段であってＢｌｕｅｔｏｏｔｈ通信機能付き携帯電話機（以下、携帯電話機と称する）１０がＢｌｕｅｔｏｏｔｈ通信圏内に存在していれば、そのＢｌｕｅｔｏｏｔｈ通信圏内に存在している携帯電話機１０との間で無線通信回線を確立してＢｌｕｅｔｏｏｔｈの通信規格に準拠した通信を行う。
【００１４】
本実施形態でのＢｌｕｅｔｏｏｔｈ通信部３は、ハンズフリー通話を行うための周知のＨＦＰ（Hands Free Profile）及び電話帳データの転送、発信履歴データや着信履歴データの転送を行うためのＰＢＡＰ（Phone Book Access Profile）に対応している。これらプロファイルは、機能毎に定義された通信プロトコルを意味している。
【００１５】
携帯電話機１０は、周知のように単独（ハンズフリー機器との間でＨＦＰを接続していない状態）では、携帯電話網の基地局（図示せず）との間で携帯電話回線を確立して電話の発信処理及び着信処理を単独で行うことが可能に構成されている。この場合、携帯電話機１０は、発信処理としては例えばユーザがダイアルキー（「０」〜「９」の数字キー）（図示せず）を操作して発信先の電話番号を入力し、続いて発信キー（図示せず）を操作すると、当該電話番号を発信先として発信することができ、発信先の携帯電話機との間で通話を行うことが可能となる。また、携帯電話機１０は、着信処理としては発信元の携帯電話機が当該携帯電話機１０を発信先として発信したことに応じて基地局から着信信号を受信すると、基地局から発信元の携帯電話機の電話番号を着信電話番号として受信し、ユーザが受話キー（図示せず）を操作すると、発信元の携帯電話機に応答することができ、発信元の携帯電話機との間で通話を行うことが可能となる。
【００１６】
また、携帯電話機１０は、日時（日付時刻）を計時する時計部（図示せず）を有しており、上記した発信処理でダイアルキーから入力した発信電話番号と時計部が計時している日時に基づく発信日時との対応を１件分のデータとして複数件分の発信履歴データを保持し、上記した着信処理で基地局から受信した着信電話番号と時計部が計時している日時に基づく着信日時との対応を１件分のデータとして複数件分の着信履歴データを保持し、着信に対して応答しなかったときに基地局から受信した着信電話番号と時計部が計時している日時に基づく着信日時との対応を１件分のデータとして複数件分の不在着信履歴データを保持し、電話番号と登録名との対応を１件分のデータとして複数件分の電話帳データを保持している。電話帳データとは、ユーザが電話番号と登録名とを入力し、これら電話番号と登録名とを対応付けて例えば５００件程度、不揮発性メモリ（図示せず）に記憶させておくものである。
【００１７】
ここで、電話帳データを保有している場合、上記した発信履歴データ及び着信履歴データには、上記した登録名が含まれる。具体的には、基地局から受信した着信電話番号が電話帳データに登録された電話番号であり、この電話番号に登録名が電話帳データに登録されているか否かをチェックし、存在する場合には、着信履歴データは、電話番号と、着信日時と、登録名とから構成される。不在着信履歴データも、同様な処理で、電話番号と、着信日時と、その登録名とからなる。一方、発信履歴データも、上記発信処理で発信された電話番号が、電話帳データに登録された電話番号であるか否かをチェックし、存在する場合は、発信日時と、発信電話番号と、その登録名とから構成される。
【００１８】
そして、ユーザは、電話帳データを読出して１つの電話番号を選択して発信することにより、電話番号を構成する数字に対応する全ての数字キーを一々入力しなくとも簡単な操作で間違いなく発信することができる。尚、携帯電話機１０は、これら発信履歴データや着信履歴データや不在着信履歴データをそれぞれ例えば最新の２０件分を記憶可能であり、発信処理や着信処理や不在着信を行う毎に最古のデータを自動的に消去し、発信履歴データや着信履歴データや不在着信履歴データを更新する。
【００１９】
そして、携帯電話機１０は、ハンズフリー通話を行うための周知のＨＦＰ及び電話帳データの転送、発信履歴データや着信履歴データの転送を行うためのＰＢＡＰ）に対応している。携帯電話機１０が、発信履歴データや着信履歴データの自動転送を規定しているＰＢＡＰに対応している場合には、Ｂｌｕｅｔｏｏｔｈ通信部３との間で通信回線を確立した直後にＰＢＡＰを接続し、その時点で記憶している電話帳データを自動転送し、さらに、その時点で記憶している発信履歴データや着信履歴データや不在着信履歴データを自動転送する。これにより、携帯電話機１０は、車載ナビゲーション装置１がＢｌｕｅｔｏｏｔｈ通信圏内に存在している場合には、単独で過去に発信処理を行って記憶した最大で２０件分の発信履歴データや単独で過去に着信処理を行って記憶した最大で２０件分の着信履歴データや単独で過去に不在着信処理を行って記憶した最大で２０件分の不在着信履歴データを車載ナビゲーション装置１に自動転送する。
【００２０】
操作部４は、例えば表示部５に形成されるタッチキーから構成され、ユーザの操作を検出し、その操作内容を表す操作信号を制御部２に出力する。表示部５は、制御部２から表示信号を入力すると、その入力した表示信号に基づいて表示画面を表示し、例えばユーザが電話番号を入力する表示画面として「０」〜「９」に対応したダイアルキーが配列された表示画面を表示する。作業メモリ６は、揮発性のメモリから構成され、携帯電話機１０からユーザが何ら操作することなく自動転送された発信履歴データ、着信履歴データ、不在着信履歴データ及び電話帳データを記憶する。この場合、作業メモリ６は、これら発信履歴データや着信履歴データや不在着信履歴データをそれぞれ例えば５件分を記憶可能である。記憶メモリ７は、不揮発性のメモリから構成され、各種データを記憶する。
【００２１】
この場合、制御部２は、ユーザが発信履歴データの表示要求を操作部４にて行うと、作業メモリ６に記憶されている発信履歴データを表示部４に表示させ、ユーザが着信履歴データの表示要求を操作部４にて行うと、作業メモリ６に記憶されている着信履歴データを表示部４に表示させ、ユーザが電話帳データの表示要求を操作部４にて行うと、作業メモリ６に記憶されている電話帳データを表示部４に表示させる。尚、本実施形態の車載ナビゲーション装置１では、上記したように作業メモリ６に記憶される発信履歴データ及び着信履歴データはそれぞれ５件であり、表示部４に表示される最大表示件数もそれぞれ５件である。
【００２２】
マイクロホン８は、携帯電話機１０を用いたハンズフリー通話を行うときに、ユーザが発した音声を入力し、スピーカ９は、携帯電話機１０を用いたハンズフリー通話を行うときに、通話相手の受話音声を出力する。すなわち、Ｂｌｕｅｔｏｏｔｈ通信部３と携帯電話機１０との間でＢｌｕｅｔｏｏｔｈ通信回線を確立してＨＦＰを接続すると、制御部２は、マイクロホン８が入力した音声をＢｌｕｅｔｏｏｔｈ通信部３から携帯電話機１０に送信させて携帯電話機１０から携帯電話網に送信させると共に、携帯電話機１０が携帯電話網から受信した音声を携帯電話機１０からＢｌｕｅｔｏｏｔｈ通信部３に受信させてスピーカ９から出力させる。
【００２３】
尚、上記した車載ナビゲーション装置１は、図示した機能ブロックの他に、自車両の現在位置を検出する現在位置検出部としてのＧＰＳ装置、現在位置から目的地までの経路を探索する経路探索部、地図データが記録さている記録媒体から地図データを読取る地図データ読取部、ＶＩＣＳ（登録商標）センターから配信されたＶＩＣＳ情報を受信するＶＩＣＳ情報受信部、ユーザが発した音声を音声認識する音声認識部などのナビゲーション動作に必要な機能ブロックをも備えて構成されている。
【００２４】
また、上記した車載ナビゲーション装置１は、ＡＣＣスイッチのオンオフに連動して起動・停止（給電・給電停止）するように構成されており、例えばユーザが操作したことに応じてＡＣＣスイッチがオンからオフに切替わり、電源供給が停止されて装置電源がオンからオフに移行すると、その直前に記憶メモリ７に記憶されている各種データは消去されないが（記憶保持されるが）、その直前に作業メモリ６に記憶されている発信履歴データ、着信履歴データ、不在着信履歴データ及び電話帳データは消去されるように構成されている。
【００２５】
次に、上記した構成の作用について、図２ないし図１０を参照して説明する。尚、ここでは、携帯電話機１０は、最大記憶可能件数である２０件分の発信履歴データ及び最大記憶可能件数である２０件分の着信履歴データを既に保持（記憶）しており、この状態で、携帯電話機１０を携帯するユーザが車両に近づいて車内に乗り込み、携帯電話機１０が車載ナビゲーション装置１のＢｌｕｅｔｏｏｔｈ通信圏内に進入したことを前提として説明する。
【００２６】
最初に、車載ナビゲーション装置１において、制御部２が携帯電話機１０から発信履歴データ、着信履歴データ、不在着信履歴データ及び電話帳データを受信する手順について、図２を参照して説明する。尚、ユーザは、車載ナビゲーション装置１にて、Ｂｌｕｅｔｏｏｔｈ通信の相手となる携帯電話機１０を予め登録している。例えばこれには初期通信時に携帯電話機毎に４桁のパスワードを入力し、１または１０がお互いのみ知るリンクキー生成し、これをお互いで保持登録しておく。そして、初期接続時にリンクキーの認証を行うことで、通信接続すべき携帯電話機１０を選択している。つまり、未登録の携帯電話機は、ＨＦＰ接続及びＰＢＡＰ接続で接続されることは無く、基本的に、その車両の所有者の携帯電話機が登録されることとなる。
【００２７】
本実施形態では、車載ナビゲーション装置１には、通信接続対象となる複数の携帯電話機１０が登録されており、さらに、複数の携帯電話機１０に対して例えば操作部４を操作して優先順位を予め設定しており、制御部２は当該優先順位を記憶している。例えば、これは、ユーザによっては、複数の携帯電話機を所有している場合があるからである。
【００２８】
本実施形態の前提として、車載ナビゲーション装置１のＢｌｕｅｔｏｏｔｈ通信部３は、ＨＦＰ及びＰＢＡＰの両プロトコルに対応し、且つ、これら２つのプロファイルを同時接続（マルチプロファイル接続）することができる。尚、ここで同時接続とは、２つを意味する。Ｂｌｕｅｔｏｏｔｈでは、１つのマスター通信装置に対して最大７台のスレーブ通信装置が時分割多重にて同時接続可能であり、この場合、通信チャネルは、独立した７つの時分割チャネルで通信することが可能である。したがって、同時接続とは、７つのうち２つの通信チャネルを用いて、２つの一つをＨＦＰで使用し、残りをＰＢＡＰで使用するという形態が在り得る。また、１つの通信チャネルの論理チャネルを、パケット通信のように、ＨＦＰ、ＰＢＡＰで共用して同時に動作させることも可能である。これら二つの形態を本実施形態では、同時接続と呼ぶ。
【００２９】
説明に戻ると、制御部２は、優先順位が上位の携帯電話機１０をＨＦＰの接続対象として選択する（ステップＳ１）。ここで、本実施形態では、最初にＰＢＡＰでの通信接続を行わずに、先ずはＨＦＰでの通信を試みる。この理由は、後述する。そして、制御部２は、その選択した携帯電話機１０に対してＨＦＰを接続し（ステップＳ２）、ＨＦＰの接続に成功したか否かを判定する（ステップＳ３）。ここで、制御部２は、ＨＦＰの接続に成功した旨を判定すると（ステップＳ３にて「ＹＥＳ」）、そのＨＦＰの接続に成功した携帯電話機１０に対してＰＢＡＰを接続する（ステップＳ４）。ここでの接続とは、ＰＢＡＰでのデータ転送を行うための通信リンクを確立するために必要な初期接続処理である。
【００３０】
次いで、制御部２は、発信履歴データ、着信履歴データ及び不在着信履歴データのデータ転送処理を行う（ステップＳ５）、発信履歴データ、着信履歴データ及び不在着信履歴データの転送処理を終了すると、電話帳データの転送処理を開始し（ステップＳ６）、電話帳データの転送処理を行う。このような処理によって、ハンズフリー待受処理に移行し、携帯電話機への着信を操作部４で受けて、通話したり、操作部４からの操作により携帯電話機に発信させることが可能となるとともに、ＰＢＡＰでのデータ転送がすぐさま行えるように、ＰＢＡＰも接続状態となることで、Ｂｌｕｅｔｏｏｔｈの通信状態としては、同時接続となる。
【００３１】
これに対して、制御部２は、ＨＦＰの接続に成功しなかった（失敗した）旨を判定すると（ステップＳ３にて「ＮＯ」）、優先順位が次位の携帯電話機１０が存在するか否かを判定し（ステップＳ７）、優先順位が次位の携帯電話機１０が存在する旨を判定すると（ステップＳ７にて「ＹＥＳ」）、その優先順位が次位の携帯電話機１０をＨＦＰの接続対象として選択し（ステップＳ８）、上記したステップＳ２に戻り、上記した処理を繰返して行う。
【００３２】
以上のように、携帯電話機１０が、車載ハンズフリー装置１に近づいて、Ｂｌｕｅｔｏｏｔｈによる無線接続がなされると、ＰＢＡＰによるデータ転送が行われるととともに、ＨＦＰも同時接続状態となり、ハンズフリー待受状態を維持したが、以下、さらに詳しく、ＰＢＡＰによるデータ転送処理を説明する。
【００３３】
本実施形態では、制御部２は、前提として、上述のように、携帯電話機１０がＢｌｕｅｔｏｏｔｈ通信圏内に存在していれば、そのＢｌｕｅｔｏｏｔｈ通信圏内に存在している携帯電話機１０との間でＨＦＰだけの接続を、最初に行って、ハンズフリー待受状態とし、その後、ＰＢＡＰの初期接続処理を行った。
【００３４】
この理由は、車載ナビゲーション装置１の動作として、ＨＦＰとＰＢＡＰとの初期接続を同時に行うと、同時処理により負荷がかかるとともに、同時処理によるソフトウェアが複雑になる、さらには、同時処理によりＨＦＰ接続の完了が遅延することが考えられるためである。本実施形態の場合は、同時接続を安定して確実に行うことが可能となる。さらには、ＨＦＰの接続完了までの接続時間を短時間にすることができるため、ユーザが車両に携帯電話機１０を持ち込んだときに、早期にＨＦＰによるハンズフリー待受による発信処理、着信処理を行う状態にすることが可能となる。
【００３５】
このような場合において、図３において、ＨＦＰの接続状態にあり且つＰＢＡＰを接続処理中（Ｓ４の処理に相当）にあるときに、携帯電話機１０が着信を検出した旨を判定すると（ステップＳ１１にて「ＹＥＳ」）、ＰＢＡＰの接続処理を停止させ（ステップＳ１２）、その着信状態または当該着信に係る通話状態が終了して待受状態に移行したか否かを判定する（ステップＳ１３）。尚、待受状態かどうかを判定するための情報は、ＨＦＰ上で通知されるものであって、携帯電話機１０から、自己の通信状況（待受状態、発信中、着信中、通話中）が変化するごとに通知されるものである。車載ハンズフリー装置１からの要求により、受信し、得ても良い。
【００３６】
そして、制御部２は、車載ハンズフリー装置１で着信拒否した、携帯電話機１０で着信拒否した、発信相手側で発信を取消（キャンセル）した或いは終話した、携帯電話機１０もしくは車載ハンズフリー装置１での操作で通話を終話したことにより、待受状態に移行した旨を判定すると（ステップＳ１３にて「ＹＥＳ」）、ＰＢＡＰの接続処理を最初から再開させ（ステップＳ１４）、携帯電話機１０から発信履歴データ、着信履歴データ、不在着信履歴データ及び電話帳データを取得する（ステップＳ１５）。これにより、ＰＢＡＰの接続処理中にあるときに携帯電話機１０が着信した場合であっても、その着信状態または当該着信に係る通話状態が終了して待受状態に移行してからＰＢＡＰの接続処理を最初から再開することにより、携帯電話機１０から発信履歴データ、着信履歴データ、不在着信履歴データ及び電話帳データを適切に取得することができ、これら各種データを携帯電話機１０の各種データと同一にしておくことができる。特に、車載ハンズフリー装置１は、着信履歴データとして、Ｓ１１での着信に係るデータをも得ることができる。
【００３７】
尚、Ｓ１４では、着信状態から待受状態に移行したときに、ＰＢＡＰ接続を最初から開始したが、これには以下の理由がある。着信状態を検出した時点で、携帯電話機１０には、新たな着信履歴データが発生することとなる。そして、着信状態を検出した時点で、ＰＢＡＰの初期接続処理を開始することも可能であるが、初期接続処理を行ってデータ転送を行い始めた時点で、未だに着信が継続していると、その着信が不在着信なのか応答した着信なのかが不明である。このため、この状態で、仮に着信に係るデータを受信したとしても、車載ナビゲーション装置１としては、着信履歴の表示において、不在着信なのか応答した着信なのか区別して表示できない。そこで、着信状態から異なる状態に移行したとき、つまり、着信状態から通話状態を介さずに待受状態、着信状態から通話状態となったタイミングで、ＰＢＡＰでの初期接続処理、およびデータ転送を最初からやり直す。
【００３８】
本実施形態では、着信状態から通話状態を経由して待受状態になる、着信状態から通話状態を経由せずに待受状態といったように、最終的には待受状態に移行するため、待受状態を検出して、ＰＢＡＰ接続を最初から開始するようにしている。もちろん、着信状態から通話状態を検出し、これをＰＢＡＰ接続のトリガーとしても良い。
【００３９】
図３では、ＨＦＰ接続状態でかつＰＢＡＰ初期接続処理中において、着信があった場合のでの処理を説明したが、図４は、ＨＦＰ接続状態でＰＢＡＰ接続状態でデータ（発信履歴データ、着信履歴データ、不在着信履歴データ、電話帳データ）を転送中に、着信が発生した場合の処理を表している。図４は、図３でいうと、Ｓ１１でＮＯと判定されている間に、ＰＢＡＰＡ接続処理が完了し、データ転送処理に移行し、データ転送中となった場合、Ｓ１５でのデータ転送中である場合に、対応している。
【００４０】
図４において、制御部２は、ＨＦＰの接続状態にありＰＢＡＰの接続状態でデータを転送中にあるときに携帯電話機１０が着信を検出した旨を判定すると（ステップＳ２１にて「ＹＥＳ」）、データの転送を停止させ（ステップＳ２２）、その着信状態または当該着信に係る通話状態が終了して待受状態に移行したか否かを判定する（ステップＳ２３）。そして、制御部２は、車載ハンズフリー装置１で着信拒否した、携帯電話機１０で着信拒否した、発信相手側で発信を取消した或いは終話したことにより、待受状態に移行した旨を判定すると（ステップＳ２３にて「ＹＥＳ」）、データの転送を最初から再開させ（ステップＳ２４）、携帯電話機１０から発信履歴データ、着信履歴データ、不在着信履歴データ及び電話帳データを取得する（ステップＳ２５）。これにより、ＰＢＡＰの接続状態でデータを取得中にあるときに携帯電話機１０が着信した場合であっても、その着信状態または当該着信に係る通話状態が終了して待受状態に移行してからＰＢＡＰの接続処理を最初から再開することにより、携帯電話機１０から発信履歴データ、着信履歴データ、不在着信履歴データ及び電話帳データを適切に取得することができ、これら各種データを携帯電話機１０の各種データと同一にしておくことができる。特に、車載ハンズフリー装置１は、着信履歴データとして、Ｓ２１での着信に係るデータをも得ることができる。尚、、Ｓ２４では、着信状態から待受状態に移行したときに、ＰＢＡＰ接続を最初から開始したが、この理由、上述のＳ１４での説明と同じ理由である。
【００４１】
これまでは、携帯電話機１０が車内に持ち込まれて、車載ハンズフリー装置１とＨＦＰ接続、ＰＢＡＰ接続・データ転送が始めて行われた例を説明したが、以下、ＰＢＡＰによるデータ転送が成功した後における同時接続の処理について、説明する。
【００４２】
本実施形態では、ＰＢＡＰはデータ転送が終了したが、その接続自体は維持されて、ＨＦＰとＰＢＡＰとの同時接続状態となっており、この状態から車載ナビゲーション装置１からの要求、自己判断により、所定タイミングでＰＢＡＰによりデータ転送を開始することが可能である。これによって、車載ハンズフリーシステムとして、新たな着信、発信が発生した場合でも、携帯電話機１０の最新の発信履歴データ、着信履歴データ、不在着信データを更新できる。以下、図５〜図１０で、これを説明する。
【００４３】
前提としては、Ｓ２でＨＦＰ接続後において、携帯電話機１０に対して着信があった場合、携帯電話機１０には、その着信及び発信を含む着信履歴データ、発信履歴データは、結局、自己の履歴データであるため、携帯電話機１０自身のメモリに保持している。また、Ｓ２でＨＦＰ接続後において、操作部４にてＢｌｕｅｔｏｏｔｈ通信部３を介して携帯電話機１０にて発信処理が行われた場合、発信先の電話番号は、Ｂｌｕｅｔｏｏｔｈ通信部３を介して携帯電話機１０に送られるため、その発信を含む発信履歴データは、結局、自己の履歴データであるため、携帯電話機１０自身のメモリに保持している。
【００４４】
図５では、携帯電話機１０の操作部での操作で発信処理が行われた場合における、データ転送処理を表している。ＨＦＰにて車載ハンズフリー装置１と携帯電話機１０とが接続されている状態で、車載ハンズフリー装置１側の操作部４での操作にて発信処理が行うことが可能であることは、上述した通りである。これに加え、ＨＦＰ接続状態で、携帯電話機１０側の操作で発信処理を行って、ハンズフリー通話を行うこと可能な場合がある。
【００４５】
そして、この場合、車載ハンズフリー装置１では、この発信処理による発信履歴データを取得し、最新状態へ更新処理する必要がある。車載ハンズフリー装置１は、自己の発信かどうかは判断でき、かつＨＦＰ接続にて携帯電話機１０の通信状況が通知されるため、自己の操作部４での発信か、携帯電話機１０での操作での発信処理かどうか判断することができる。
【００４６】
そこで、図５において、制御部２は、待受状態にあるときに、携帯電話機１０から発信した旨を判定すると（ステップＳ３１にて「ＹＥＳ」）、その発信状態を終了して待受状態に移行したか否かを判定する（ステップＳ３２）。例えば、このＳ３２が発生する状況としては、車載ハンズフリー装置１で携帯電話機１０からの発信を取消した、携帯電話機１０で自機からの発信を取消した或いは発信相手側で着信を拒否したことより、通話状態とならずに、待受状態に移行した旨を判定する（ステップＳ３２にて「ＹＥＳ」）。その後、携帯電話機１０から発信履歴データ、着信履歴データ、不在着信履歴データ及び電話帳データを取得する（ステップＳ３３）。これにより、携帯電話機１０からの発信が終了する毎に携帯電話機１０から発信履歴データ、着信履歴データ、不在着信履歴データ及び電話帳データを取得することができ、これら各種データを携帯電話機１０の各種データと同一にしておくことができる。尚、、この例では、Ｓ３２にて、待受状態に移行したことを判定したが、発信状態となったことを検出すると、Ｓ３３に進むようにしても良い。
【００４７】
次に図６について説明する。図５では、携帯電話機１０での発信操作を検出して、Ｓ３３にてデータ転送処理を行うようにしたが、図６では、車載ハンズフリー装置１の操作部４で発信処理が開始された場合を示している。
【００４８】
図６において、制御部２は、待受状態にあるときに車載ハンズフリー装置１から発信した旨を判定すると（ステップＳ４１にて「ＹＥＳ」）、その発信状態を終了して待受状態に移行したか否かを判定する（ステップＳ４２）。例えば、このＳ４２が発生する状況としては、車載ハンズフリー装置１で自装置からの発信を取消した、携帯電話機１０で車載ハンズフリー装置１からの発信を取消した或いは発信相手側で着信を拒否したことが在り得る。そして、Ｓ４２にて、通話状態とならずに、待受状態に移行した旨を判定すると、携帯電話機１０から発信履歴データ、着信履歴データ、不在着信履歴データ及び電話帳データを取得する（ステップＳ４３）。これにより、車載ハンズフリー装置１からの発信が終了する毎に携帯電話機１０から発信履歴データ、着信履歴データ、不在着信履歴データ及び電話帳データを取得することができ、これら各種データを携帯電話機１０の各種データと同一にしておくことができる。尚、この例では、Ｓ４２にて、待受状態に移行したことを判定したが、発信状態となったことを検出すると、Ｓ４３に進むようにしても良い。
【００４９】
次に、図７について説明する。図７は、上記図５、図６の変形例であって、発信処理から通話状態とならずに待受状態になった例でなく、通話状態から待受状態に移行した場合に、データ転送を行うものである。
【００５０】
図７において、制御部２は、車載ハンズフリー装置１と携帯電話機１０とによるハンズフリー通話状態或いは携帯電話機１０単体による通話状態であるときに、車載ハンズフリー装置１で終話した、携帯電話機１０で終話した或いは通話相手側が終話したことにより、待受状態に移行した旨を判定すると（ステップＳ５１にて「ＹＥＳ」）、携帯電話機１０から発信履歴データ、着信履歴データ、不在着信履歴データ及び電話帳データを取得する（ステップＳ５２）。これにより、通話を終了する毎に携帯電話機１０から発信履歴データ、着信履歴データ、不在着信履歴データ及び電話帳データを取得することができ、これら各種データを携帯電話機１０の各種データと同一にしておくことができる。
【００５１】
図８は、着信時の処理を表すものである。図８において、制御部２は、着信状態であるときに、車載ハンズフリー装置１で着信拒否した、携帯電話機１０で着信拒否した或いは発信相手側で発信を取消した、着信したのち通話状態となり通話が終了したりして、待受状態に移行した旨を判定すると（ステップＳ６１にて「ＹＥＳ」）、携帯電話機１０から発信履歴データ、着信履歴データ、不在着信履歴データ及び電話帳データを取得する（ステップＳ６２）。これにより、着信を終了する毎に携帯電話機１０から発信履歴データ、着信履歴データ、不在着信履歴データ及び電話帳データを取得することができ、これら各種データを携帯電話機１０の各種データと同一にしておくことができる。
【００５２】
尚、待受状態から着信状態となったら直ぐに、データ転送することも可能であるが、着信状態だけでは、その着信に対して電話に出なかった不在着信なのか、着信状態から通話状態となった応答着信なのかか不明である。このため、本実施形態では、着信状態から待受状態となった、不在着信である場合でも着信状態が終われば、待受状態となり、応答着信でもいずれは電話を終話して、待受状態に移行するため、待受状態となったことを判定し、これをトリガーとすることで、不在着信か応答着信かのデータを携帯電話機１０から転送でき、不在着信なのか、応答着信なのかが認識できる表示画面を生成することが可能となる。
【００５３】
図９は、発信、着信、通話といった通信状態を所定タイミングとするものでなく、タイマーを用いて、データ転送を開始するものである。図９において、制御部２は、ＰＢＡＰの接続を完了すると、タイマ値を設定し（ステップＳ７１）、タイマ値を所定時間間隔でデクリメントし（ステップＳ７２）、タイマ値がタイムアップした旨を判定すると（ステップＳ７３）、携帯電話機１０から発信履歴データ、着信履歴データ、不在着信履歴データ及び電話帳データを取得する（ステップＳ７４）。これにより、携帯電話機１０から発信履歴データ、着信履歴データ、不在着信履歴データ及び電話帳データを定期的に取得することができ、これら各種データを携帯電話機１０の各種データと同一にしておくことができる。
【００５４】
図１０は、発信、着信、通話といった通信状態、タイマーを所定のタイミングとするものでなく、ユーザによる操作部４の操作をトリガーとして、データ転送を開始するものである。図１０において、制御部２は、ユーザが表示画面を変更する操作を行い、発信履歴データの表示画面、着信履歴データの表示画面、不在着信履歴データの表示画面及び電話帳データの表示画面のうちいずれかに遷移した旨を判定すると（ステップＳ８１にて「ＹＥＳ」）、携帯電話機１０から発信履歴データ、着信履歴データ、不在着信履歴データ及び電話帳データを取得する（ステップＳ８２）。これにより、携帯電話機１０から発信履歴データ、着信履歴データ、不在着信履歴データ及び電話帳データを発信履歴データの表示画面、着信履歴データの表示画面、不在着信履歴データの表示画面及び電話帳データの表示画面のうちいずれかに遷移する毎に取得することができ、これら各種データを携帯電話機１０の各種データと同一にしておくことができる。
【００５５】
尚、図５〜図１０の処理では、車載ハンズフリー装置１は、上記所定タイミングとなると、発信履歴データ、着信履歴データ、不在着信履歴データ及び電話帳データを受信することとした。しかしながら、電話帳データは、Ｖｃａｒｄ形式に変換する処理に時間がかかったり、データ量自体も、発信履歴データ、着信履歴データ、不在着信履歴データに比べて大きいため、携帯電話機１０への負荷が大きく、その電池容量を減らす要因となる。
【００５６】
そこで、携帯電話機１０が車載ハンズフリー装置１に無線接続されて、ＰＢＡＰによるデータ転送が行われた場合、上記所定タイミングにて、発信履歴データ、着信履歴データ、不在着信履歴データだけをデータ転送するようにしても良い。これによって、携帯電話機１０の処理を低減でき、その電池容量の低下を抑えることができる。
【００５７】
また、車載ハンズフリー装置１は、上記所定タイミングとなると、発信履歴データ、着信履歴データ、不在着信履歴データ及び電話帳データを受信することとした。しかしながら、車載ハンズフリー装置１は、着信状態なのか発信状態なのかは、上述の通り把握することができるため、着信があった場合には、着信履歴データ、不在着信履歴データだけを転送し、発信があった場合は、発信履歴データだけを転送するようにしても良い。この結果、無駄なデータ転送を省略できることとなり、携帯電話機１０の処理を低減でき、その電池容量の低下を抑えることができる。
【００５８】
尚、図５ないし図１０を参照して説明した処理は、単独で行われても良いし、複数が複合的に組み合わされて行われても良い。特に図５〜図９は、全てを実行するようにすると良い。
【００５９】
次に、転送されたデータについての処理について説明する。制御部２は、携帯電話機１０から自動転送された発信履歴データや着信履歴データの件数、不在着信履歴データがそれぞれ例えば２０件であり、作業メモリ６に記憶可能な発信履歴データや着信履歴データの件数、不在着信履歴データがそれぞれ例えば５件であり、作業メモリ６に記憶可能な発信履歴データや着信履歴データの件数が携帯電話機１０から自動転送された発信履歴データや着信履歴データの件数よりも少ないので、以下の処理を行う。
【００６０】
すなわち、制御部２は、発信履歴データについては、携帯電話機１０から自動転送された発信履歴データのうち発信日時が古い発信履歴データを破棄し、携帯電話機１０から自動転送された２０件分の発信履歴データのうち発信日時が新しい５件分の発信履歴データを優先して作業メモリ６に携帯側発信履歴データとして記憶させる。ここで、また、制御部２は、着信履歴データ、不在着信履歴データについても発信履歴データと同様にして、着信履歴データのうち着信日時が古い着信履歴データを破棄し、携帯電話機１０から自動転送された２０件分の着信履歴データのうち着信日時が新しい５件分の着信履歴データを優先して作業メモリ６に携帯側着信履歴データとして記憶させる。
【００６１】
また、ＰＢＡＰを接続するときに車載ナビゲーション装置１が携帯電話機１０に対して自動転送すべき件数（本実施形態では５件）を指定し、発信日時や着信日時が新しい発信履歴データや着信履歴データ、不在着信履歴データを優先して作業メモリ６に記憶するようにしても良い。
【００６２】
また、携帯電話機１０では、電話帳データを転送する場合には当該電話帳データのデータ形式をＢｌｕｅｔｏｏｔｈ通信規格で規定されている「ｖＣａｒｄ」のデータフォーマットに変換して転送する必要があると共に、電話帳データが発信履歴データ及び着信履歴データに対して一般的にデータ更新の頻度が低いという事情から、制御部２は、携帯電話機１０から発信履歴データ及び着信履歴データ、不在着信履歴データをＢｌｕｅｔｏｏｔｈ通信部３により受信し、その後、携帯電話機１０から電話帳データをＢｌｕｅｔｏｏｔｈ通信部３により受信しても良い。また、制御部２は、携帯電話機１０から発信履歴データ及び着信履歴データをＢｌｕｅｔｏｏｔｈ通信部３により受信し、その後、ユーザが操作部４にて所定操作を行った場合に限って携帯電話機１０から電話帳データをＢｌｕｅｔｏｏｔｈ通信部３により受信しても良い。
【００６３】
また、以上の説明では、発信履歴データ、着信履歴データ、不在着信履歴データ、電話帳データを自動転送させたが、電話帳データを手動転送、自動転送させるかは、車載ナビゲーション装置１においてユーザが手動転送或いは自動転送を選択して設定しておき、この設定に応じてＰＢＡＰ処理を行うようにしても良い。例えば、ユーザが自動転送設定を行っていない場合、発信履歴データ、着信履歴データ、不在着信履歴データだけが、自動転送される。一方、手動設定による電話帳データの転送を行った場合には、電話帳データだけは不揮発性の記憶メモリ７に記憶しておき、記憶されたデータは次回の車載ナビゲーション装置１の起動時に記憶メモリ７から読出して電話帳データとして利用すると良い。
【００６４】
また、制御部２は、携帯電話機１０から受信した発信履歴データ、着信履歴データ及び電話帳データを当該携帯電話機１０毎に区別して作業メモリ６に記憶させても良い。この場合、制御部２は、携帯電話機１０と作業メモリ６に記憶させているデータとを例えば以下のようにして対応付ける。すなわち、携帯電話機１０から受信した発信履歴データ、着信履歴データ及び電話帳データを作業メモリ６に記憶させるときに、携帯電話機１０から受信した当該携帯電話機１０に個別に付与されている携帯電話機ＩＤと車載ハンズフリー装置１に個別に付与されている装置ＩＤとに基づいてリンクキーを生成し、その生成したリンクキーと各種データと対応付けて作業メモリ６に記憶させる。そして、制御部２は、これ以降に、携帯電話機１０から携帯電話機ＩＤを受信すると、その受信した携帯電話機ＩＤと装置ＩＤとに基づいてリンクキーを再度生成し、その生成したリンクキーに対応付けられて作業メモリ６に記憶されている各種データを更新する。
【００６５】
また、制御部２は、携帯電話機１０から着信履歴データとして応答した着信履歴と応答しなかった着信（不在着信）履歴とを区別して受信するが、これらを同時一覧表示する場合、応答した着信である旨を表すアイコン図形（受話器と矢印との組合わせからなる図形）及び応答しなかった着信（不在着信）である旨を表すアイコン図形（受話器と×印との組合わせからなる図形）のうちいずれかをデータ毎に表示させるようにすると良い。
【００６６】
尚、以上は、携帯電話機１０から転送された発信履歴データ、着信履歴データ及び電話帳データが作業メモリ６に記憶される場合や電話帳データのみが記憶メモリ７に記憶される場合を説明したが、携帯電話機１０から転送された発信履歴データ、着信履歴データ及び電話帳データが記憶メモリ７に記憶される構成であっても良く、そのような構成では、装置電源がオフされた場合であっても、記憶メモリ７に記憶された発信履歴データ、着信履歴データ及び電話帳データは記憶保持されることになる。
【００６７】
以上に説明したように本実施形態によれば、ＨＦＰとＰＢＡＰとの同時接続を行って、必要なときのみ、ＰＢＡＰによるデータ転送を行うようにしたので、データ転送を無用に行うこと無く、携帯電話機での最新の着信履歴、不在着信、発信履歴を更新することが可能となる。
【００６８】
また、車載ナビゲーション装置１において、携帯電話機１０との間でＢｌｕｅｔｏｏｔｈ通信回線を確立し、当該携帯電話機１０がＢｌｕｅｔｏｏｔｈ通信回線を確立する前に記憶した発信履歴データや着信履歴データを当該携帯電話機１０から受信すると、その発信履歴データや着信履歴データを自装置の発信履歴データや着信履歴データと同等に作業メモリ６に記憶し、これ以降、作業メモリ６に記憶した発信履歴データや着信履歴データによる発信操作を可能とするように構成したので、携帯電話機１０から自動転送された発信履歴データや着信履歴データのうちから所望の電話番号を選択して発信することができると共に、自装置の発信履歴データや着信履歴データのうちからも所望の電話番号を選択して発信することができ、利便性を高めることができる。
【００６９】
また、携帯電話機１０から発信履歴データや着信履歴データを受信した後に、ユーザが操作部４にて所定操作を行った場合に限って携帯電話機１０から電話帳データを受信するように構成すれば、データ更新の頻度が高い発信履歴データや着信履歴データをデータ更新の頻度が低い電話帳データよりも優先して受信することができ、また、発信履歴データや着信履歴データを転送するにはデータ変換が必要でないものの電話帳データを転送するにはデータ変換が必要であるという事情から、転送時間が短い発信履歴データや着信履歴データを転送時間が長い電話帳データよりも優先して受信することができる。さらに、データ更新の頻度が低く且つ転送時間が長い電話帳データを受信するか否かを選択することができ、利便性を高めることができる。
【００７０】
また、発信履歴データ、着信履歴データ及び電話帳データを携帯電話機１０毎に区別して作業メモリ６に記憶するように構成すれば、携帯電話機１０毎に発信履歴データ、着信履歴データ及び電話帳データを管理することができる。また、発信履歴データ、着信履歴データ及び電話帳データを携帯電話機１０毎に区別して記憶メモリ７に記憶するように構成すれば、装置電源がオンする毎に携帯電話機１０から電話帳データを受信する必要がなく、ユーザが自身の携帯電話機１０に対応して記憶保持されている電話帳データを速やかに利用することができ、電話帳機能を使用するときの利便性を格段に高めることができる。
【００７１】
本発明は、上記した実施形態にのみ限定されるものではなく、以下のように変形または拡張することができる。
車載ハンズフリー装置は、ハンズフリー機能を主として実現するハンズフリー専用装置から構成されていても良いし、ＣＤやラジオを再生する車両用オーディオ装置にハンズフリー機能を搭載した装置であっても良い。また、車載ナビゲーション装置１がポータブル性を有する（可搬タイプの）構成であっても良い。
携帯電話機１０と車載ナビゲーション装置１とがＢｌｕｅｔｏｏｔｈ通信を行う構成に限らず、他の近距離無線通信を行う構成であっても良く、また、有線通信を行う構成であっても良い。
【００７２】
作業メモリ６に記憶可能な発信履歴データや着信履歴データの件数は１件であっても良い。
また、車載ナビゲーション装置１において、複数の発信履歴データ、複数の着信履歴を同時に表示するよう説明したが、１件ずつ表示するようにしても良い。この場合、例えば、先ず、最初に、最新のデータを表示し、操作部４の操作により、次に最新のデータを順に表示するようにしても良い。
携帯電話機１０と車載ナビゲーション装置１とがＢｌｕｅｔｏｏｔｈ通信回線を確立した場合に、発信履歴データや着信履歴データを自動転送する構成に限らず、ユーザが車載ナビゲーション装置１や携帯電話機１０を操作することを条件として発信履歴データや着信履歴データや電話帳データを転送する構成であっても良い。
【符号の説明】
【００７３】
図面中、１はハンズフリー機能付き車載ナビゲーション装置（車載ハンズフリー装置）、２は制御部（制御手段）、３は通信部（ハンズフリー通話プロトコル接続手段、データ転送プロトコル接続手段）、１０はＢｌｕｅｔｏｏｔｈ通信機能付き携帯電話機（携帯電話機）である。
【図１】
0005582242.tif 000002
【図２】
0005582242.tif 000003
【図３】
0005582242.tif 000004
【図４】
0005582242.tif 000005
【図５】
0005582242.tif 000006
【図６】
0005582242.tif 000007
【図７】
0005582242.tif 000008
【図８】
0005582242.tif 000009
【図９】
0005582242.tif 000010
【図１０】
0005582242.tif 000011